(57)【要約】【課題】壁が鉛直方向に沿って真っすぐ設置されていなくても、カウンター用の手すりを、簡単かつ見栄えよく取付けられるようにする。【解決手段】壁１０２に固定される固定部材１０４と、固定部材１０４を介して設置された水平面を備えたカウンター１０３と、カウンター１０３上面の延長線上に位置する握り部１０１１を有し、固定部材１０４に取付けられる手すり部材１０１と、を備える手すり付きカウンター装置１００であって、固定部材１０４は、壁１０２に固定される垂直部１０４２と、カウンター１０３を上面で支える水平部１０４１とを備え、手すり部材１０１は、水平部１０４１に対して揺動可能に固定された壁側の第１固定部１０５と、水平部１０４１との距離が調節可能に固定された手前側の第２固定部１０６とで、固定部材１０４に対して所定距離隔てて固定されている。【選択図】図１
2008150882.tif 000002
【特許請求の範囲】
【請求項１】
壁に固定される固定部材と、前記固定部材を介して設置された水平面を備えたカウンターと、前記カウンター上面の延長線上に位置する握り部を有し、前記固定部材に取付けられる手すり部材と、を備える手すり付きカウンター装置であって、
前記固定部材は、前記壁に固定される垂直部と、前記カウンターを上面で支える水平部とを備え、
前記手すり部材は、前記水平部に対して揺動可能に固定された壁側の第１固定部と、前記水平部との距離が調節可能に固定された手前側の第２固定部とで、前記固定部材に対して所定距離隔てて固定されていることを特徴とする手すり付きカウンター装置。
【請求項２】
前記第２固定部は、ボルトと、前記ボルトを隠蔽する筒状部材とを備え、
前記手すり部材の下部から前記ボルトを挿入することによって、前記手すりと前記水平部との距離が調節可能に固定されることを特徴とする請求項１記載の手すり付きカウンター装置。
【請求項３】
前記筒状部材は、前記第１固定部における前記水平部と前記手すりとの距離より短く構成され、
前記筒状部材の上面は平坦面として構成され、
前記手すり付きカウンター装置は、
前記平坦面と前記水平部との間に挟みこまれる隙間調整部材をさらに備える請求項１記載の手すり付きカウンター装置。
【発明の詳細な説明】
【技術分野】
【０００１】
本発明は、カウンター用の手すり及びその取付け構造に関する。
【背景技術】
【０００２】
特許文献１には、カウンター用の手すりとして、カウンターの上面に直接取付けられる第１のタイプの手すりが開示されている。
【０００３】
また、床面と壁面とを利用して、カウンターの下方に取付けられる第２のタイプの手すりも知られている。第２のタイプの手すりは、カウンターより下側の壁面に固定されるとともに、床面から鉛直方向に延びた支持物に支えられるようにして取付けられる。このような構造をとることで、手すりは、手すりに加わる力に対して、十分耐えうるようになっている。
【０００４】
さらに、図６に示すような第３のタイプの手すりも知られている。同図に示すように、カウンター６０３は、Ｌ字型のブラケット６０４を介して、壁６０２に固定されている。そして、第３のタイプの手すり６０１は、ブラケット６０４に対して取付けられる。
【０００５】
【特許文献１】特開２００４−２９３２６１号公報
【発明の開示】
【発明が解決しようとする課題】
【０００６】
第１及び第２のタイプのカウンター用の手すりは、カウンターの上面や床面に取付け箇所が設けられるため、取付け箇所の凹凸により、カウンターの上面や床面が清掃しにくくなっていた。特に、カウンターの上面は、清潔に保つ必要があり、容易に清掃できることが好ましい。また、手すりをカウンターの下方に取付けた場合は、壁面よりも手前側に支持物が設けられるので、車椅子を使用した場合等、その支持物が邪魔になっていた。
【０００７】
これに対して、第３のタイプのカウンター用手すり６０１は、手すり６０１を取付けるために、カウンター６０３の上面や床面に取付け箇所を設ける必要がないため、カウンター６０３の上面や床面の清掃がしやすくなっている。
【０００８】
しかしながら、第３のタイプの手すり６０１では、手すり６０１の位置が、壁６０２の設置状態に影響を受けてしまうという問題がある。すなわち、壁６０２が鉛直方向に沿って真っすぐ設置されている場合には、ブラケット６０４の水平部６０４１が水平となるので、水平部６０４１に取付けられる手すり６０１も水平になるが（図６（ａ））、壁６０２が傾いている場合は、それに応じてブラケット６０４の水平部６０４１も傾いてしまうので、手すり６０１も傾いてしまう（図６（ｂ）、（ｃ））。ここで、カウンター６０３は、その上面を水平に保つ必要があるため、カウンター６０３単独で水平出しが行われ、水平部１０４１とカウンター１０３の裏面との間に、スペーサー６０５が埋め込まれて、その上面が水平になるように調節される。従って、手すり６０１を、特別な調整をすることなく水平部６０４１に取付けたのでは、水平なカウンター６０３に対して、手すり６０１が傾いてしまい、見栄えが悪くなってしまう。また、カウンター６０３の手前側に張り出すように位置する手すり６０１の握り部６０１１は、使いやすさや見栄えを考慮すると、カウンター６０３と同程度の高さにあることが望ましい。壁６０２の傾きが大きい場合は、握り部６０１１が、カウンター６０３の上面よりも高くなったり、低くなりすぎたりしてしまう。
【０００９】
一方、水平部６０４１に対して、若干傾けるようにして、手すり６０１が水平になるように微調節しながら、手すり６０１を取付ける作業は、大変である。
【００１０】
そこで、本発明の目的は、壁が鉛直方向に沿って真っすぐ設置されていなくても、カウンター用の手すりを、簡単かつ見栄えよく取付けられるようにすることである。
【課題を解決するための手段】
【００１１】
請求項１に記載した発明に従う手すり付きカウンター装置は、壁に固定される固定部材と、前記固定部材を介して設置された水平面を備えたカウンターと、前記カウンター上面の延長線上に位置する握り部を有し、前記固定部材に取付けられる手すり部材と、を備える手すり付きカウンター装置であって、前記固定部材は、前記壁に固定される垂直部と、前記カウンターを上面で支える水平部とを備え、前記手すり部材は、前記水平部に対して揺動可能に固定された壁側の第１固定部と、前記水平部との距離が調節可能に固定された手前側の第２固定部とで、前記固定部材に対して所定距離隔てて固定されていることを特徴とする。
【００１２】
手すりの第１固定部が水平部の下部の壁側に対して揺動可能に固定されているとともに、手すりの第２固定部が水平部の下部の手前側に対して水平部と手すりとの距離を調整可能に固定されていることにより、第２固定部における水平部と手すりとの距離を調節するだけで、水平部に対する手すりの傾きを変えることができるので、水平部に対する手すりの傾きを容易に調節できるようになる。従って、壁が傾いていて水平部が水平とならない場合でも、手すりを水平にすることが容易できるようになる。また、手すりの傾きを調節することで、カウンターに対する手すりの位置を変えることができるので、手すりの握り部の位置を、カウンターと同程度の高さに調節することも容易にできるようになる。
【００１３】
請求項２に記載した発明に従う手すり付きカウンター装置は、前記第２固定部は、ボルトと、前記ボルトを隠蔽する筒状部材とを備え、前記手すり部材の下部から前記ボルトを挿入することによって、前記手すりと前記水平部との距離が調節可能に固定されることを特徴とする。
【００１４】
手すりの第２固定部が前記手すり下面から挿入されるボルトによって水平部と手すりとの距離を調整可能に構成されていることにより、ボルトを締めたり、緩めたりすることで、第２固定部における水平部と手すりとの距離を容易に調節できるようになる。従って、水平部に対する手すりの傾きを、容易に調節できるようになる。
【００１５】
請求項３に記載した発明に従う手すり付きカウンター装置は、前記筒状部材は、前記第１固定部における前記水平部と前記手すりとの距離より短く構成され、前記筒状部材の上面は平坦面として構成され、前記手すり付きカウンター装置は、前記平坦面と前記水平部との間に挟みこまれる隙間調整部材をさらに備える。
【００１６】
第２固定部の筒状部材が第１固定部の筒状部材より短く構成されていることにより、第２固定部における水平部と手すりとの距離を、第１固定部における水平部と手すりとの距離よりも短くしたり、長くしたりできるようになる。従って、水平部と手すりとの距離が手前側にいくにつれて狭くなるように、又は手前側にいくにつれて広くなるように、水平部に対する手すりの傾きを変えることができるようになる。また、隙間調整部材を備えることにより、ボルトを緩めて、水平部と手すりとの距離が広くなるように調節した際に生じる隙間を埋めることができるようになる。従って、ボルトをしっかりと締めた状態を保ったまま、第２固定部における水平部と手すりとの距離を調節できるようになる。また、隙間調整部材を挿入する数や、その厚さを変えることにより、第２固定部における水平部と手すりとの距離を調節できるようになる。
【発明の効果】
【００１７】
壁が鉛直方向に沿って真っすぐ設置されていなくても、カウンター用の手すりを、簡単にかつ見栄えよく取付けられるようになる。
【発明を実施するための最良の形態】
【００１８】
以下、本発明の一実施形態に係る手すり付きカウンター装置について、図面を参照して説明する。
【００１９】
図１は、本実施形態に係る手すり付きカウンター装置１００の手すり１０１及びその取付け部分について示すカウンター１０３下面側から見た斜視図である。
【００２０】
本実施形態に係る手すり付きカウンター装置１００は、手すり１０１と、カウンター１０３と、ブラケット１０４と、支点固定部１０５と、調節固定部１０６とを備える。
【００２１】
カウンター１０３が、壁１０２に対して、ブラケット１０４を介して固定されている。手すり１０１は、ブラケット１０４に対して取付けられる。
【００２２】
ブラケット１０４は、Ｌ字型に折り曲げて形成されたものであって、水平部１０４１と、垂直部１０４２とを有する。また、水平部１０４１は、カウンター１０３を載置するための板状の載置部１０４３と、載置部１０４３の垂直部１０４２側の面に、載置部１０４３に沿って設けられるブラケット支持部１０４４とを有する。ブラケット支持部１０４４の垂直部１０４２側の端面は、垂直部１０４２に対しても固定されている。垂直部１０４２、載置部１０４３及びブラケット支持部１０４４が一体として形成されることにより、ブラケット１０４の強度が保たれている。すなわち、ブラケット１０４は、その水平部１０４１に加わる力に対して、Ｌ字型の形状が崩れないような構造になっている。
【００２３】
ブラケット１０４は、壁１０２に対して、水平部１０４１が垂直部１０４２よりも上になり、かつ、垂直部１０４２が面で接するように、例えば、ボルト等を使って固定される。ブラケット１０４の載置部１０４３の上面には、板状のカウンター１０３が載せられる。そして、載置部１０４３の上面とカウンター１０３の裏面とが、例えば、ボルト等を使って固定される。このようにして、カウンター１０３は、ブラケット１０４を介して、壁１０２に対して固定される。
【００２４】
手すり１０１は、円柱状の部材をＵ字型に形成した握り部１０１１と、Ｕ字型の一端を他端よりもさらに延長して形成された手すり支持部１０１２とを有する。手すり支持部１０１２上には、一定の距離を隔てて、支点固定部１０５及び調節固定部１０６が設けられる。手すり支持部１０１２の手前側（握り部１０１１側）に設けられる固定部が、調節固定部１０６である。一方、手すり支持部１０１２の奥側（壁１０２側）に設けられる固定部が、支点固定部１０５である。手すり１０１は、これら２つの固定部１０５、１０６により、ブラケット１０４に取付けられる。
【００２５】
図２は、図１のＡ−Ａ’断面図である。
【００２６】
支点固定部１０５は、連結部材２０１と、ボルト２０２とを有する。そして、連結部材２０１は、ボルト２０２で、ブラケット支持部１０４４に対して揺動可能に軸支されている。例えば、同図に示すように、連結部材２０１は、手すり支持部１０１２に対して垂直に、その一端が連結されている。そして、連結部材２０１の他端は、ブラケット支持部１０４４の内部まで入り込んでいる。ブラケット支持部１０４４の内部まで入り込んだ連結部材２０１の他端は、ブラケット支持部１０４４の側面から挿入されたボルト２０２により固定される。また、ブラケット支持部１０４４における連結部材２０１の入り口には、連結部材２０１の揺動を妨げないようにするため、連結部材２０１が揺動する方向に所定量の隙間が設けられている。このような構造をとることにより、連結部材２０１は、ブラケット支持部１０４４に対して、ボルト２０２を支点として、手前側又は奥側へ揺動可能となる。つまり、連結部材２０１と一体的に形成された手すり支持部１０１２、すなわち、手すり１０１は、ブラケット支持部１０４４に対して、ボルト２０２を支点として、手前側又は奥側へ揺動可能となる。
【００２７】
調節固定部１０６は、手すり支持部１０１２とブラケット支持部１０４４とを連結するボルト２０３と、ボルトカバー２０４とを有する。調節固定部１０６は、手すり支持部１０１２とブラケット支持部１０４４とを、それらの距離を調節できるように固定する。例えば、手すり支持部１０１２からボルトカバー２０４の内部を通過して、ブラケット支持部１０４４の内部まで到達するように、ボルト２０３が挿入される。ブラケット支持部１０４４側には、ボルト締結孔２０５が設けられており、ボルト締結孔２０５の雌ねじに対して、ボルト２０３の雄ねじが螺合して、手すり支持部１０１２とブラケット支持部１０４４とが連結される。尚、ボルトカバー２０４の上面は、平坦面として構成される。このような構造をとることにより、ボルト２０３を締めたり、緩めたりすることで、調節固定部１０６における手すり支持部１０１２とブラケット支持部１０４４との距離（以下、「調節固定部距離」）を調節できるようになる。実際は、ボルト２０３が緩んだ状態では、手すり１０１は、不安定である。そこで、ボルト２０３を緩めたことにより生じた隙間を埋めるために、ボルトカバー２０４とブラケット支持部１０４４との間に、例えば、馬蹄型ワッシャー２０６が挿入される。尚、馬蹄型ワッシャー２０６は、手すり支持部１０１２とボルトカバー２０４との間に挿入されてもよい。これにより、手すり支持部１０１２とブラケット支持部１０４４との間には、隙間がなくなるので、ボルト２０３をしっかりと締めた状態を保ったまま、調節固定部距離を調節できるようになる。以上からわかるとおり、調節固定部距離の最小値は、ボルトカバー２０４の長さである。このボルトカバー２０４の長さを基準として、挿入される馬蹄型ワッシャー２０６の数やその厚さを変えることで、調節固定部距離が調節される。
【００２８】
図３は、調節固定部距離３０１ａが調節される様子を示した調節固定部１０６の拡大図である。同図（ａ）は、馬蹄型ワッシャー２０６が全く挿入されていない場合の調節固定部１０６の様子を示している。また、同図（ｂ）は、馬蹄型ワッシャー２０６が１つ挿入されている場合の調節固定部１０６の様子を示している。さらに、同図（ｃ）は、馬蹄型ワッシャー２０６が２つ挿入されている場合の調節固定部１０６の様子を示している。尚、ここで示した馬蹄型ワッシャー２０６は、全て同じ形状のものである。
【００２９】
同図を見るとわかるように、調節固定部距離３０１ａよりも調節固定部距離３０１ｂの方が広くなっており、また、調節固定部距離３０１ｂよりも調節固定部距離３０１ｃの方が広くなっている。つまり、馬蹄型ワッシャー２０６が挿入された分だけ、調節固定部距離３０１は、広くなっている。従って、上述したように、ボルトカバー２０４とブラケット支持部１０４４との間に挿入される馬蹄型ワッシャー２０６の数やその厚さを変えることで、調節固定部距離３０１を調節できることがわかる。
【００３０】
図４は、手すり支持部１０１２が、ブラケット支持部１０４４に対して揺動する様子を示した支点固定部１０５の拡大図である。同図（ａ）は、連結部材２０１が、ブラケット支持部１０４４に対して、垂直に位置している場合を示している。また、同図（ｂ）は、連結部材２０１が、ブラケット支持部１０４４に対して、ボルト２０２を支点として、手前側に傾いている場合を示している。さらに、同図（ｃ）は、連結部材２０１が、ブラケット支持部１０４４に対して、ボルト２０２を支点として、奥側に傾いている場合を示している。
【００３１】
同図（ａ）では、手すり支持部１０１２とブラケット支持部１０４４とは、それぞれ並行している。従って、この場合は、ブラケット支持部１０４４が水平のとき、すなわち、壁１０２が鉛直方向に沿って真っすぐ設置されているときに、手すり１０１は、水平になる。ここで、手すり１０１が水平になるとは、手すり支持部１０１２が水平になることをいう（以下、同じ）。一方、同図（ｂ）では、手すり支持部１０１２とブラケット支持部１０４４とは、それらの距離が手前側へいくにつれて狭くなるような位置関係にある。すなわち、調節固定部距離３０１が、支点固定部１０５における手すり支持部１０１２とブラケット支持部１０４４との距離（以下、「支点固定部距離」）４０１よりも狭くなるように調節された状態である。この場合は、ブラケット支持部１０４４が手前側へいくにつれて下がっているとき、すなわち、壁１０２が手前側に傾いて設置されているときに、手すり１０１は、水平になる。また、同図（ｃ）では、手すり支持部１０１２とブラケット支持部１０４４とは、それらの距離が手前側へいくにつれて広くなるような位置関係にある。すなわち、調節固定部距離３０１が、支点固定部距離４０１よりも広くなるように調節された状態である。この場合は、ブラケット支持部１０４４が手前側へいくにつれて上がっているとき、すなわち、壁１０２が奥側に傾いて設置されているときに、手すり１０１は、水平になる。
【００３２】
このように、連結部材２０１が、ブラケット支持部１０４４に対して、揺動可能とすることで、ブラケット支持部１０４４に対する手すり支持部１０１２の傾きを変更できるようになる。従って、ブラケット支持部１０４４が水平でない場合、すなわち、壁１０２が鉛直方向に対して傾いている場合でも、手すり１０１を水平にすることができるようになる。
【００３３】
上述したことからもわかるとおり、手すり１０１の傾きの調節は、調節固定部１０６と支点固定部１０５とが連動することにより行われる。すなわち、調節固定部１０６において、調節固定部距離３０１が支点固定部距離４０１と同一になるように調節されれば、図４（ａ）のような状態にすることができる。また、調節固定部距離３０１が支点固定部距離４０１よりも狭くなるように調節されれば、図４（ｂ）のような状態にすることができる。さらに、調節固定部距離３０１が支点固定部距離４０１よりも広くなるように調節されれば、図４（ｃ）のような状態にすることができる。従って、壁１０２の設置状態に合うように、調節固定部距離３０１を調節することで、手すり１０１を水平にすることができるようになる。
【００３４】
図５は、壁１０２の設置状態ごとに、手すり１０１の傾きが調節される様子の一例を示した図である。同図（ａ）は、壁１０２が鉛直方向に沿って真っすぐ設置されている場合を示している。これに対し、同図（ｂ）は、壁１０２が手前側に傾いて設置されている場合、同図（ｃ）は、壁１０２が奥側に傾いて設置されている場合をそれぞれ示している。尚、この例では、手すり１０１は、水平になるように調節されている。
【００３５】
図５（ａ）では、壁１０２が鉛直方向に沿って真っすぐ設置されているため、ブラケット１０４の水平部１０４１及びブラケット支持部１０４４は、水平になっている。この場合は、カウンター１０３は、その裏面が水平部１０４１の上面と面で接するように固定されることで、水平にされる。一方、手すり１０１は、手すり支持部１０１２とブラケット支持部１０４４とが並行になるように、調節固定部距離３０１が調節されることで、水平にされる。同図の場合では、例えば、調節固定部１０６において、馬蹄型ワッシャー２０６が一つ挿入された状態で、調節固定部距離３０１と支点固定部距離４０１とが一致し、手すり支持部１０１２とブラケット支持部１０４４とが並行になる。すなわち、調節固定部１０６は、図３（ｂ）の状態に、支点固定部１０５は、図４（ａ）の状態に、それぞれ調節されることで、手すり１０１は、水平にされる。
【００３６】
図５（ｂ）では、壁１０２が手前側に傾いて設置されているため、ブラケット１０４の水平部１０４１及びブラケット支持部１０４４は、手前側へいくにつれて下がっている。この場合は、カウンター１０３は、手前側の水平部１０４１の上面とカウンター１０３の裏面との間に、スペーサー４０１が埋め込まれて、カウンター１０３の上面は水平にされる。一方、手すり１０１は、手すり支持部１０１２とブラケット支持部１０４４との距離が手前側へいくにつれて狭くなるような位置関係になるように、調節固定部距離３０１が調節されることで、水平にされる。同図の場合では、例えば、調節固定部１０６において、馬蹄型ワッシャー２０６が外された状態で、調節固定部距離３０１が支点固定部距離４０１よりも狭くなり、手すり支持部１０１２とブラケット支持部１０４４との距離が手前側へいくにつれて狭くなるような位置関係になる。すなわち、調節固定部１０６は、図３（ａ）の状態に、支点固定部１０５は、図４（ｂ）の状態に、それぞれ調節されることで、手すり１０１は水平にされる。
【００３７】
図５（ｃ）では、壁１０２が奥側に傾いて設置されているため、ブラケット１０４の水平部１０４１及びブラケット支持部１０４４は、手前側へいくにつれて上がっている。この場合は、カウンター１０３は、奥側の水平部１０４１の上面とカウンター１０３の裏面との間に、スペーサー４０１が埋め込まれて、カウンター１０３の上面は水平にされる。一方、手すり１０１は、手すり支持部１０１２とブラケット支持部１０４４との距離が手前側へいくにつれて広くなるような位置関係になるように、調節固定部距離３０１が調節されることで、水平にされる。同図の場合では、例えば、調節固定部１０６において、馬蹄型ワッシャー２０６が二つ挿入された状態で、調節固定部距離３０１が支点固定部距離４０１よりも広くなり、手すり支持部１０１２とブラケット支持部１０４４との距離が手前側へいくにつれて広くなるような位置関係になる。すなわち、調節固定部１０６は、図３（ｃ）の状態に、支点固定部１０５は、図４（ｃ）の状態に、それぞれ調節されることで、手すり１０１は水平にされる。
【００３８】
尚、本実施形態では、手すり１０１が水平となるように、調節固定部１０６を調節したが、これに限定されるものではない。手すり１０１の傾きを変えれば、ブラケット１０４やカウンター１０３に対する手すり１０１の位置が変わることにもなるので、例えば、カウンター１０３と手すり１０１の握り部１０１１との高さを同じにする等、手すり１０１を水平にすることにとらわれずに、別の指針に基づいて、手すり１０１の位置を調節してもよい。
【００３９】
以上説明したような構造をもつことにより、壁が鉛直方向に沿って真っすぐ設置されていなくても、カウンター用の手すりを、簡単にかつ見栄えよく取付けられるようになる。
【００４０】
上述した本発明の実施形態は、本発明の説明のための例示であり、本発明の範囲をそれらの実施形態にのみ限定する趣旨ではない。本発明は、その要旨を逸脱することなく、その他の様々な態様でも実施することができる。
【図面の簡単な説明】
【００４１】
【図１】本実施形態に係る手すり付きカウンター装置の手すり及びその取付け部分について示すカウンター下面側から見た斜視図である。
【図２】図１のＡ−Ａ’断面図である。
【図３】調節固定部距離が調節される様子を示した調節固定部の拡大図である。
【図４】手すり支持部が、ブラケット支持部に対して揺動する様子を示した支点固定部の拡大図である。
【図５】壁の設置状態ごとに、手すりの傾きが調節される様子の一例を示した図である。
【図６】第３のタイプのカウンター用手すりを示す図である。
【符号の説明】
【００４２】
１００…手すり付きカウンター装置、１０１…手すり、１０１１…握り部、１０１２…手すり支持部、１０２…壁、１０３…カウンター、１０４…ブラケット、１０４１…水平部、１０４２…垂直部、１０４３…載置部、１０４４…ブラケット支持部、１０５…支点固定部、１０６…調節固定部、２０１…連結部材、２０２、２０３…ボルト、２０４…ボルトカバー、２０５…ボルト締結孔、２０６…馬蹄型ワッシャー、３０１…調節固定部距離、４０１…支点固定部距離、５０１…スペーサー
【図１】
2008150882.tif 000003
【図２】
2008150882.tif 000004
【図３】
2008150882.tif 000005
【図４】
2008150882.tif 000006
【図５】
2008150882.tif 000007
【図６】
2008150882.tif 000008